(57)【要約】【課題】不正な抜き取りなどを監視でき、かつ、不正な抜き取りなどを未然に防ぐことができる無線式ＩＣカード管理装置を提供する。【解決手段】それぞれが連続している固有のカード番号が付与されている複数の無線式ＩＣカードが集積されているホッパから前記複数の無線式ＩＣカードをカード番号が連続するよう１つずつ取出し、所定の位置に移動させるものにおいて、ホッパから取出された無線式ＩＣカードからカード番号を読取り、当該カード番号の不連続を検知することにより、未使用カードの抜取りや他のカードへのデータ書込みを検知する。【選択図】      図１
2005063174.tif 000002
【特許請求の範囲】
【請求項１】
それぞれが連続している固有の識別情報が付与されている複数の無線式ＩＣカードが集積されている集積手段から前記複数の無線式ＩＣカードを識別情報が連続するよう１つずつ取出し、所定の位置に移動させるものにおいて、
前記集積手段から無線式ＩＣカードが取出されたことを検知する検知手段と、
この検知手段により無線式ＩＣカードの取出しが検知されると、前記所定の位置に移動される無線式ＩＣカードからそれに付与された識別情報を無線通信により読取る読取手段と、
この読取手段の読取結果に基づき当該無線式ＩＣカードは非無線式ＩＣカードであるか否か、および、識別情報が連続しているか否かを判定する判定手段と、
この判定手段の判定結果を出力する出力手段と、
前記読取手段により識別情報が読取られるとカウントアップするカウンタ手段と、
を具備したことを特徴とする無線式ＩＣカード管理装置。
【請求項２】
それぞれが連続している固有の識別情報が付与されている複数の無線式ＩＣカードが集積されている集積手段から前記複数の無線式ＩＣカードを識別情報が連続するよう１つずつ取出し、所定の位置に移動させるものにおいて、
前記集積手段から無線式ＩＣカードが取出されたことを検知する検知手段と、
この検知手段により無線式ＩＣカードの取出しが検知されると、前記所定の位置に移動される無線式ＩＣカードからそれに付与された識別情報を無線通信により読取る読取手段と、
この読取手段の読取結果に基づき当該無線式ＩＣカードは非無線式ＩＣカードであるか否か、および、識別情報が連続しているか否かを判定する第１の判定手段と、
この第１の判定手段の判定結果を出力する第１の出力手段と、
前記第１の判定手段により当該無線式ＩＣカードは非無線式ＩＣカードであると判定されるとカウントアップする第１のカウンタ手段と、
前記第１の判定手段により識別情報が連続していないと判定されるとカウントアップする第２のカウンタ手段と、
前記読取手段により識別情報が読取られるとカウントアップする第３のカウンタ手段と、
前記集積手段が交換されたことを検知する集積手段交換検知手段と、
この集積手段交換検知手段が集積手段の交換を検知すると前記第１ないし第３のカウンタ手段の各カウント内容をチェックすることにより前記第１の判定手段の判定内容が正しいか否かを判定する第２の判定手段と、
この第２の判定手段の判定結果を出力する第２の出力手段と、
この第２の出力手段による前記第２の判定手段の判定結果の出力後、前記第１ないし第３のカウンタ手段の各カウント内容をリセットするリセット手段と、
を具備したことを特徴とする無線式ＩＣカード管理装置。
【請求項３】
無線通信手段および連続する固有の識別情報が記憶されている記憶手段を備えた複数の無線式ＩＣカードが集積されている集積手段と、
この集積手段から前記複数の無線式ＩＣカードを識別情報が連続するよう１つずつ取出す取出手段と、
この取出手段により取出された無線式ＩＣカードを搬送する搬送手段と、
前記取出手段により無線式ＩＣカードが取出されたことを検知する検知手段と、
この検知手段により無線式ＩＣカードの取出しが検知されると、前記搬送手段により搬送される無線式ＩＣカードに対し前記無線通信手段を介して無線による通信を行なうことにより前記記憶手段から識別情報を読取る読取手段と、
この読取手段の読取結果に基づき当該無線式ＩＣカードは非無線式ＩＣカードであるか否か、および、識別情報が連続しているか否かを判定する判定手段と、
この判定手段の判定結果を出力する出力手段と、
前記読取手段により識別情報が読取られるとカウントアップするカウンタ手段と、
前記搬送手段により搬送される無線式ＩＣカードの表面に所定の可視画像を印刷する印刷手段と、
この印刷手段により可視画像が印刷された無線式ＩＣカードに対し前記無線通信手段を介して無線による通信を行なうことにより、前記記憶手段に対し前記可視画像に関係する所定のデータを書込む書込み手段と、
を具備したことを特徴とする無線式ＩＣカード発行装置。
【請求項４】
無線通信手段および連続する固有の識別情報が記憶されている記憶手段を備えた複数の無線式ＩＣカードが集積されている集積手段と、
この集積手段から前記複数の無線式ＩＣカードを識別情報が連続するよう１つずつ取出す取出手段と、
この取出手段により取出された無線式ＩＣカードを搬送する搬送手段と、
前記取出手段により無線式ＩＣカードが取出されたことを検知する検知手段と、
この検知手段により無線式ＩＣカードの取出しが検知されると、前記搬送手段により搬送される無線式ＩＣカードに対し前記無線通信手段を介して無線による通信を行なうことにより前記記憶手段から識別情報を読取る読取手段と、
この読取手段の読取結果に基づき当該無線式ＩＣカードは非無線式ＩＣカードであるか否か、および、識別情報が連続しているか否かを判定する第１の判定手段と、
この第１の判定手段の判定結果を出力する第１の出力手段と、
前記第１の判定手段により当該無線式ＩＣカードは非無線式ＩＣカードであると判定されるとカウントアップする第１のカウンタ手段と、
前記第１の判定手段により識別情報が連続していないと判定されるとカウントアップする第２のカウンタ手段と、
前記読取手段により識別情報が読取られるとカウントアップする第３のカウンタ手段と、
前記集積手段が交換されたことを検知する集積手段交換検知手段と、
この集積手段交換検知手段が集積手段の交換を検知すると前記第１ないし第３のカウンタ手段の各カウント内容をチェックすることにより前記第１の判定手段の判定内容が正しいか否かを判定する第２の判定手段と、
この第２の判定手段の判定結果を出力する第２の出力手段と、
この第２の出力手段による前記第２の判定手段の判定結果の出力後、前記第１ないし第３のカウンタ手段の各カウント内容をリセットするリセット手段と、
前記搬送手段により搬送される無線式ＩＣカードの表面に所定の可視画像を印刷する印刷手段と、
この印刷手段により可視画像が印刷された無線式ＩＣカードに対し前記無線通信手段を介して無線による通信を行なうことにより、前記記憶手段に対し前記可視画像に関係する所定のデータを書込む書込み手段と、
を具備したことを特徴とする無線式ＩＣカード発行装置。
【発明の詳細な説明】
【技術分野】
【０００１】
本発明は、たとえば、入退室管理におけるＩＤカードなどとして用いられる無線式ＩＣカードを発行する無線式ＩＣカード発行装置などにおいて、取出した無線式ＩＣカードの枚数などを管理する無線式ＩＣカード管理装置、および、この無線式ＩＣカード管理装置を用いた無線式ＩＣカード発行装置に関する。
【背景技術】
【０００２】
最近、この種の無線式ＩＣカードは、たとえば、物流管理、入退室管理、個人認証などのシステムに利用されている。  
たとえば、入退室管理や個人認証では、個人の身体的特徴情報などを記録した無線式ＩＣカードを利用者に配布しておき、入室時、部屋の入口に設置された無線式ＩＣカードリーダ・ライタに当該無線式ＩＣカードを提示して、無線式ＩＣカードリーダ・ライタと無線式ＩＣカードとの間で無線で通信を行なうことにより、身体的特徴情報の照合を行ない、入口のドアを開閉制御するシステムなどに利用されている。
【０００３】
このような無線式ＩＣカードは、無線式ＩＣカード発行装置により、表面に所定の可視画像を印刷するとともに、無線通信によりカード内のＩＣチップに上記可視画像に関係する所定のデータを書込むことにより、発行される。
【０００４】
そして、無線式ＩＣカード発行装置においては、通常、発行した無線式ＩＣカードの枚数を管理している。たとえば、発行された枚数と顧客に渡した枚数とを比較することで、同じ顧客に複数の無線式ＩＣカードを渡すことや、渡し忘れなどを防ぐことができる。
【発明の開示】
【発明が解決しようとする課題】
【０００５】
上記したように、発行を完了した無線式ＩＣカードの枚数を管理することで、同一の無線式ＩＣカードが複数枚発行されるという事態は防止できる。しかしながら、ホッパから取出した未印刷状態（未使用）の無線式ＩＣカードの枚数を管理していないため、たとえば、内部的な犯行で未印刷状態の無線式ＩＣカード（以下、生カードとも言う）が抜き取られていた場合などに対応できない。
【０００６】
そこで、本発明は、使用した無線式ＩＣカードの枚数を管理することで、不正な抜き取りなどを監視でき、かつ、管理していることを明示することにより、不正な抜き取りなどを未然に防ぐことができる無線式ＩＣカード管理装置および無線式ＩＣカード発行装置を提供することを目的とする。
【課題を解決するための手段】
【０００７】
本発明の無線式ＩＣカード管理装置は、それぞれが連続している固有の識別情報が付与されている複数の無線式ＩＣカードが集積されている集積手段から前記複数の無線式ＩＣカードを識別情報が連続するよう１つずつ取出し、所定の位置に移動させるものにおいて、前記集積手段から無線式ＩＣカードが取出されたことを検知する検知手段と、この検知手段により無線式ＩＣカードの取出しが検知されると、前記所定の位置に移動される無線式ＩＣカードからそれに付与された識別情報を無線通信により読取る読取手段と、この読取手段の読取結果に基づき当該無線式ＩＣカードは非無線式ＩＣカードであるか否か、および、識別情報が連続しているか否かを判定する判定手段と、この判定手段の判定結果を出力する出力手段と、前記読取手段により識別情報が読取られるとカウントアップするカウンタ手段とを具備している。
【０００８】
また、本発明の無線式ＩＣカード発行装置は、無線通信手段および連続する固有の識別情報が記憶されている記憶手段を備えた複数の無線式ＩＣカードが集積されている集積手段と、この集積手段から前記複数の無線式ＩＣカードを識別情報が連続するよう１つずつ取出す取出手段と、この取出手段により取出された無線式ＩＣカードを搬送する搬送手段と、前記取出手段により無線式ＩＣカードが取出されたことを検知する検知手段と、この検知手段により無線式ＩＣカードの取出しが検知されると、前記搬送手段により搬送される無線式ＩＣカードに対し前記無線通信手段を介して無線による通信を行なうことにより前記記憶手段から識別情報を読取る読取手段と、この読取手段の読取結果に基づき当該無線式ＩＣカードは非無線式ＩＣカードであるか否か、および、識別情報が連続しているか否かを判定する判定手段と、この判定手段の判定結果を出力する出力手段と、前記読取手段により識別情報が読取られるとカウントアップするカウンタ手段と、前記搬送手段により搬送される無線式ＩＣカードの表面に所定の可視画像を印刷する印刷手段と、この印刷手段により可視画像が印刷された無線式ＩＣカードに対し前記無線通信手段を介して無線による通信を行なうことにより、前記記憶手段に対し前記可視画像に関係する所定のデータを書込む書込み手段とを具備している。
【発明の効果】
【０００９】
本発明によれば、使用した無線式ＩＣカードの枚数を管理することで、不正な抜き取りなどを監視でき、かつ、管理していることを明示することにより、不正な抜き取りなどを未然に防ぐことができる無線式ＩＣカード管理装置および無線式ＩＣカード発行装置を提供できる。
【発明を実施するための最良の形態】
【００１０】
以下、本発明の実施の形態について図面を参照して説明する。  
まず、第１の実施の形態について説明する。  
図１は、第１の実施の形態に係る無線式ＩＣカード管理装置の構成を概略的に示すものである。この無線式ＩＣカード管理装置は、たとえば、入退室管理におけるＩＤカードなどとして用いられる無線式ＩＣカードを発行する無線式ＩＣカード発行装置などにおいて、取出した無線式ＩＣカードの枚数などを管理するもので、集積手段としてのホッパ１００から無線式ＩＣカードが取出されたことを検知する検知手段としての取出カウンタ１０１、集積手段交換検知手段としてのホッパ交換検知装置１０２、読取手段としての読取装置１０３、出力手段としての表示装置１０４、および、取出枚数監視装置１０５から構成されている。
【００１１】
無線式ＩＣカードは、非接触式ＩＣカードともいわれ、たとえば、外部と無線で通信を行なう無線通信手段、データを格納する記憶手段としてのメモリ（以下、ＩＣメモリと称す）、および、これらを制御するＣＰＵなどから構成されていて、これらは１つ（または複数）のＩＣチップで構成されてカード本体に埋設されている。
【００１２】
なお、無線式ＩＣカードは、ホッパ（カートリッジ）１００に所定枚数保持（集積）されていて、このホッパ１００から１枚ずつ取出されるものとする。また、ホッパ１００に保持される無線式ＩＣカードの枚数は一定であることが保証され、さらに、生カード作成時にカード固有の識別情報としてのカード番号がＩＣメモリに書込まれていることを前提とする。ここに、カード番号はホッパ１００に保持される無線式ＩＣカードの枚数の範囲でユニークな番号である。さらに、ホッパ１００に無線式ＩＣカードを格納する際、取出した順にカード番号が連続するよう格納することを前提とする。
【００１３】
取出カウンタ１０１は、ホッパ１００から無線式ＩＣカードが取出されたことを通知するカウンタである。
【００１４】
ホッパ交換検知装置１０２は、ホッパ１００が所定位置から外されたかどうかを検知するセンサである。外されたホッパは再度使用されないことを前提とし、次に所定位置にセットされるホッパは新品であると判断する。ただし、無線式ＩＣカードの取出時にジャムなどが発生し、ホッパ１００を取り外す必要があるときは交換したと見なさない。
【００１５】
読取装置１０３は、ホッパ１００から取出された無線式ＩＣカードに対し無線通信手段を介して無線による通信を行なうことにより、ＩＣメモリに書込まれているカード番号を読取るものである。
【００１６】
表示装置１０４は、取出枚数監視装置１０５から送信される各種メッセージなどを表示出力するもので、たとえば、ＣＲＴ表示装置や液晶表示装置あるいはプリンタなどが用いられる。
【００１７】
取出枚数監視装置１０５は、ホッパ１００から取出された無線式ＩＣカードの枚数などを監視し、その監視結果を表示装置１０４に表示するもので、その処理の流れを図２に示すフローチャートを用いて説明する。
【００１８】
取出枚数監視装置１０５は、ホッパ１００に存在する無線式ＩＣカードの枚数や、枚数カウンタ（図示しない）などの値を初期化し（ステップ２０１）、その後、以下の処理を無制限に行なう（ステップ２０２、ステップ２１３）。ホッパ交換検知装置１０２がホッパ１００の交換を検知した場合（ステップ２０３）、ホッパ１００から取出した枚数をカウントする枚数カウンタ（カウンタ手段）をリセットし（ステップ２０４）、ホッパ１００を交換した旨を表示装置１０４に表示し（ステップ２０５）、ステップ２０３に戻る。ホッパ１００の交換を検知しなかった場合は、ステップ２０６に進む。ここに、ステップ２０４の処理が本発明におけるリセット手段に対応している。
【００１９】
ステップ２０６は、取出カウンタ１０１がカウントアップしたことを検知する処理を行なうもので、カウントアップしたことを検知しない場合はステップ２０３に戻り、カウントアップしたことを検知した場合はステップ２０７に進む。
【００２０】
ステップ２０７は、無線式ＩＣカード内のＩＣメモリから、読取装置１０３を用いてカード番号Ａを読取る。このとき、カード番号が読取れなかった場合は、無線式ＩＣカード以外のカード（非無線式ＩＣカード）が混ざっていたと判断し、その旨を表示装置１０４に表示する（ステップ２０８）。
【００２１】
カード番号を読取ることができた場合は、読取ったカード番号Ａとバッファ（図示しない）に格納していた前回読取ったカード番号Ｂとを比較し、読取ったカード番号Ａがバッファに格納していたカード番号Ｂに続いた番号（Ｂ＋１＝Ａ）であることを判定する（ステップ２０９）。続いていないカード番号と判定された場合は、抜けが発生したと表示装置１０４に表示する（ステップ２１０）。続いているカード番号と判定された場合は、無線式ＩＣカードは正常に取出されていると判断し、バッファ内のカード番号Ｂを読取ったカード番号Ａに書換え（ステップ２１１）、その後、枚数カウンタを「＋１」する（ステップ２１２）。この動作をホッパ１００の取外しが行なわれるまで繰り返す。ここに、ステップ２０７，２０９の処理が本発明における判定手段に対応している。
【００２２】
図３に本装置を動作させたときの具体的な例を示す。図中、符号３０１はホッパ１００に格納された無線式ＩＣカードに記憶されたカード番号を示し、数値の小さいものから大きいものの順に無線式ＩＣカードが取出されていくことを示す。この例においては、ホッパ１００には４００枚の無線式ＩＣカードがあることが前提である。
【００２３】
なお、この例では、ホッパ１００にカード番号「０１０５」が存在せず、カード番号「０２０９」に相当する無線式ＩＣカードがカード番号を読取れない無線式ＩＣカードになっている場合を示している。また、符号３０２から３０４は、カード番号が不連続であった場合に表示装置１０４に表示されるメッセージ例を示している。
【００２４】
無線式ＩＣカードがカード番号「０００１」から順々に取出され、カード番号「０１０６」を取出した際に、前のカード番号が「０１０４」であるため不連続が生じたと判断し、符号３０２の表示を行なう。この後、さらに無線式ＩＣカードを取出していき、カード番号「０２０９」相当を取出した際には、無線式ＩＣカードらしきものを取出したが、カード番号が読取れなかったと判断し、符号３０３の表示を行なう。ホッパ１００から無線式ＩＣカードが全て取出され、ホッパ１００が交換された場合、符号３０４の表示が行なわれる。
【００２５】
次に、第２の実施の形態について説明する。  
図４は、第２の実施の形態に係る無線式ＩＣカード管理装置の構成を概略的に示すものである。この無線式ＩＣカード管理装置は、前述した第１の実施の形態と同様、たとえば、入退室管理におけるＩＤカードなどとして用いられる無線式ＩＣカードを発行する無線式ＩＣカード発行装置などにおいて、取出した無線式ＩＣカードの枚数などを管理するもので、取出カウンタ１０１、ホッパ交換検知装置１０２、読取装置１０３、表示装置１０４、および、取出枚数監視装置１０６から構成されている。
【００２６】
なお、取出カウンタ１０１、ホッパ交換検知装置１０２、読取装置１０３および表示装置１０４は、前述した第１の実施の形態（図１）のそれと同様の機能であるので説明は省略するが、取出枚数監視装置１０６は、前述した第１の実施の形態と若干機能が異なるので、その処理の流れを図５に示すフローチャートを用いて説明する。
【００２７】
取出枚数監視装置１０５は、ホッパ１００に存在する無線式ＩＣカードの枚数や、枚数カウンタ（図示しない）などの値を初期化し（ステップ５０１）、その後、以下の処理を無制限に行なう（ステップ５０２、ステップ５１６）。ホッパ交換検知装置１０２がホッパ１００の交換を検知した場合（ステップ５０３）、ホッパ１００から取出した枚数をカウントする枚数カウンタ（第３のカウンタ手段）の値と初期化時にセットされた値とを比較し、両値が同じであった場合、正常にカウントできた旨を表示装置１０４に表示する。また、正常にカウントできていた場合、後述する不連続カウンタＮＧ２の値をチェックし、その値が「０」でなかった場合、不連続は無線式ＩＣカードをホッパ１００に格納したときから起きていた、すなわちカード製造時の不良チェックによりはじかれたものと判断し、その旨を表示装置１０４に表示する。ただし、後述する非無線式ＩＣカードカウンタＮＧ１のカウント値が「０」でなく、正常にカウントできていたと判断された場合は、無線式ＩＣカードが抜取られ、非無線式ＩＣカードに入れ替えられた恐れがあるため、これを表示装置１０４に表示し、正常にカウントできた旨は表示しない。これらの処理と表示をステップ５０４，５０５で行なう。  
ここに、ステップ５０４の処理が本発明における第２の判定手段に対応し、ステップ５０５の処理が本発明における第２の出力手段に対応している。
【００２８】
ステップ５０５の表示終了後、枚数カウンタ、非無線式ＩＣカードカウンタＮＧ１、不連続カウンタＮＧ２をそれぞれリセットし（ステップ５０６）、ステップ５０３に戻る。ホッパ１００の交換を検知しなかった場合は、ステップ５０７に進む。ここに、ステップ５０６の処理が本発明におけるリセット手段に対応している。
【００２９】
ステップ５０７は、取出カウンタ１０１がカウントアップしたことを検知する処理を行なうもので、カウントアップしたことを検知しない場合はステップ５０３に戻り、カウントアップしたことを検知した場合はステップ５０８に進む。
【００３０】
ステップ５０８は、無線式ＩＣカード内のＩＣメモリから、読取装置１０３を用いてカード番号Ａを読取る。このとき、カード番号が読取れなかった場合は、無線式ＩＣカード以外のカード（非無線式ＩＣカード）が混ざっていたと判断し、その旨を表示装置１０４に表示する（ステップ５０９）。そして、図示しない非無線式ＩＣカードカウンタ（第１のカウンタ手段）ＮＧ１をカウントアップする（ステップ５１０）。
【００３１】
カード番号を読取ることができた場合は、読取ったカード番号Ａとバッファ（図示しない）に格納していた前回読取ったカード番号Ｂとを比較し、読取ったカード番号Ａがバッファに格納していたカード番号Ｂに続いた番号（Ｂ＋１＝Ａ）であることを判定する（ステップ５１１）。続いていないカード番号と判定された場合は、抜けが発生したと表示装置１０４に表示する（ステップ５１２）。そして、図示しない不連続カウンタ（第２のカウンタ手段）ＮＧ２をカウントアップする（ステップ５１３）。
【００３２】
ステップ５１１において、続いているカード番号と判定された場合は、無線式ＩＣカードは正常に取出されていると判断し、バッファ内のカード番号Ｂを読取ったカード番号Ａに書換え（ステップ５１４）、その後、枚数カウンタを「＋１」する（ステップ５１５）。この動作をホッパ１００の取外しが行なわれるまで繰り返す。  
ここに、ステップ５０８，５１１の処理が本発明における第１の判定手段に対応し、ステップ５０９，５１２の処理が本発明における第１の出力手段に対応している。
【００３３】
図６、図７に本装置を動作させたときの具体的な例を示す。  
図６の例において、図中、符号６０１はホッパ１００に格納された無線式ＩＣカードに記憶されたカード番号を示し、数値の小さいものから大きいものの順に無線式ＩＣカードが取出されていくことを示す。この例においては、ホッパ１００には４００枚の無線式ＩＣカードがあることが前提である。
【００３４】
なお、この例では、ホッパ１００にカード番号「０９５８」および「１２１４」が存在しない場合を示している。また、符号６０２，６０３は、カード番号が不連続であった場合に表示装置１０４に表示されるメッセージ例を示している。
【００３５】
無線式ＩＣカードがカード番号「０９０１」から順々に取出され、カード番号「０９５９」を取出した際に、前のカード番号が「０９５７」であるため不連続が生じたと判断し、符号６０２の表示を行なう。このとき、不連続カウンタＮＧ２が加算され、「１」となる。この後、さらに無線式ＩＣカードを取出していき、カード番号「１２１５」を取出した際にも不連続が生じたと判断し、符号６０３の表示を行なう。このとき、不連続カウンタＮＧ２が加算され、「２」となる。ホッパ１００から無線式ＩＣカードが全て取出され、ホッパ１００が交換された場合、枚数カウンタの値が「４００」で、非無線式ＩＣカードカウンタＮＧ１の値が「０」、不連続カウンタＮＧ２の値が「２」のため、不連続による誤報と判断し、符号６０４の表示が行なわれる。
【００３６】
図７の例において、図中、符号６０５はホッパ１００に格納された無線式ＩＣカードに記憶されたカード番号を示し、数値の小さいものから大きいものの順に無線式ＩＣカードが取出されていくことを示す。この例においては、ホッパ１００には４００枚の無線式ＩＣカードがあることが前提である。
【００３７】
なお、この例では、ホッパ１００にカード番号「１４９３」が存在せず、カード番号「１６２２」と「１６２３」との間にカード番号を読取れない無線式ＩＣカードが存在する場合を示している。また、符号６０６から６０８は、カード番号が不連続であった場合に表示装置１０４に表示されるメッセージ例を示している。
【００３８】
無線式ＩＣカードがカード番号「１４０１」から順々に取出され、カード番号「１４９４」を取出した際に、前のカード番号が「１４９２」であるため不連続が生じたと判断し、符号６０６の表示を行なう。このとき、不連続カウンタＮＧ２が加算され、「１」となる。この後、さらに無線式ＩＣカードを取出していき、カード番号「１６２２」の次の無線式ＩＣカードを取出した際には、無線式ＩＣカードらしきものを取出したが、カード番号が読取れなかったと判断し、符号６０７の表示を行なう。このとき、非無線式ＩＣカードカウンタＮＧ１が加算され、「１」となる。ホッパ１００から無線式ＩＣカードが全て取出され、ホッパ１００が交換された場合、枚数カウンタの値が「４００」で、不連続カウンタＮＧ２の値が「１」ではあるが、非無線式ＩＣカードカウンタＮＧ１の値が「１」であるため、符号６０８の表示が行なわれる。
【００３９】
次に、第３の実施の形態について説明する。  
図８は、第３の実施の形態に係る無線式ＩＣカード発行装置の構成を概略的に示すものである。この無線式ＩＣカード発行装置は、たとえば、入退室管理におけるＩＤカードなどとして用いられる無線式ＩＣカードなどを発行するもので、前述した第１あるいは第２の実施の形態で説明した無線式ＩＣカード管理装置を組込んだ場合の一例を示しており、以下に説明を行なう。
【００４０】
集積手段としてのホッパ７０１には、複数枚の生カード（未発行状態の無線式ＩＣカード）７０２が格納されている。ホッパ７０１には、生カード７０２を１枚ずつ順次取出す取出手段としての取出装置７０３が設けられていて、この取出装置７０３で取出された生カード７０２は、搬送手段としての搬送路７０４により無線式ＩＣカード管理装置７０５に送られ、前述したような処理が行なわれる。
【００４１】
次に、無線式ＩＣカード管理装置７０５を通過した生カード７０２は、搬送路７０４によって印刷手段としてのカラー印刷部７０６に送られ、表面に当該カード所持者の顔画像および個人情報としての文字などの可視画像が印刷される。
【００４２】
次に、可視画像が印刷された生カード７０２は、搬送路７０４によって保護膜形成部（ＵＶＣ部）７０７に送られ、表面に印刷画像を保護する保護膜が形成される。次に、保護膜が形成された生カード７０２は、搬送路７０４によって転写部７０８に送られ、表面の全面に保護層が転写形成される。
【００４３】
次に、保護層が転写形成された生カード７０２は、搬送路７０４によって転写後照射部７０９に送られ、表面に転写された保護層が固着される。次に、表面の保護層が固着された生カード７０２は、搬送路７０４によって書込み手段としてのＩＣカード書込装置７１０に送られ、ここで、生カード７０２内のＩＣメモリに対し当該カード所持者の個人情報（顔画像をも含む場合がある）が書込まれ、その後、完成した無線式ＩＣカードとしてスタッカ７１１に排出され、発行処理が終了となる。
【００４４】
無線式ＩＣカード管理装置７０５は、前述した第１あるいは第２の実施の形態で説明した無線式ＩＣカード管理装置と同様な考えで構成されている。すなわち、無線式ＩＣカード管理装置７０５は、取出装置７０３で取出された生カード７０２を搬送する搬送手段としての搬送路７１２および搬送ローラ７１３、搬送される生カード７０２を検知するセンサ７１４、生カード７０２と無線で通信を行なうことによりＩＣメモリからカード番号を読取るための読取手段としてのアンテナ７１５を有して構成される。
【００４５】
このような構成において、ホッパ７０１から取出された生カード７０２が本装置内に導かれ、その先端部がセンサ７１４により検知されると、生カード７０２は搬送路７１２および搬送ローラ７１４により図示矢印方向に搬送され、所定の位置（アンテナ７１５との距離による）に停止される。次に、アンテナ７１５を用いて、所定の位置に停止された生カード７０２内のＩＣメモリからカード番号を読取り、前述同様な処理が行なわれる。
【図面の簡単な説明】
【００４６】
【図１】本発明の第１の実施の形態に係る無線式ＩＣカード管理装置の構成を概略的に示すブロック図。
【図２】第１の実施の形態における取出枚数監視装置の処理の流れを説明するフローチャート。
【図３】第１の実施の形態における具体的な動作例を説明するための図。
【図４】本発明の第２の実施の形態に係る無線式ＩＣカード管理装置の構成を概略的に示すブロック図。
【図５】第２の実施の形態における取出枚数監視装置の処理の流れを説明するフローチャート。
【図６】第２の実施の形態における具体的な動作例を説明するための図。
【図７】第２の実施の形態における具体的な動作例を説明するための図。
【図８】本発明の第３の実施の形態に係る無線式ＩＣカード発行装置の構成を概略的に示す模式図。
【符号の説明】
【００４７】
１００…ホッパ（集積手段）、１０１…取出カウンタ（検知手段）、１０２…ホッパ交換検知装置（集積手段交換検知手段）、１０３…読取装置（読取手段）、１０４…表示装置（出力手段）、１０５，１０６…取出枚数監視装置、７０１…ホッパ（集積手段）、７０２…生カード、７０３…取出装置（取出手段）、７０４…搬送路（搬送手段）、７０５…無線式ＩＣカード管理装置、７０６…カラー印刷部（印刷手段）、７１０…ＩＣカード書込装置（書込み手段）、７１２…搬送路（搬送手段）、７１３…搬送ローラ（搬送手段）、７１４…センサ、７１５…アンテナ。
【図１】
2005063174.tif 000003
【図２】
2005063174.tif 000004
【図３】
2005063174.tif 000005
【図４】
2005063174.tif 000006
【図５】
2005063174.tif 000007
【図６】
2005063174.tif 000008
【図７】
2005063174.tif 000009
【図８】
2005063174.tif 000010